(57)【要約】【課題】  撮像装置に対し設定情報を容易に設定すること。【解決手段】  撮像装置に設定する設定情報を取得する第１取得手段と、前記撮像装置から所定の検知に関する情報を取得する第２取得手段と、前記第２取得手段によって前記所定の検知をしたことを示す情報を取得した場合に、前記撮像装置に対応する設定情報を設定する設定手段とを有すること特徴とする設定装置。【選択図】  図２
2017022619.tif 000002
【特許請求の範囲】
【請求項１】
撮像装置に設定する設定情報を取得する第１取得手段と、
前記撮像装置から所定の検知に関する情報を取得する第２取得手段と、
前記第２取得手段によって前記所定の検知をしたことを示す情報を取得した場合に、前記撮像装置に対応する設定情報を設定する設定手段と
を有すること特徴とする設定装置。
【請求項２】
前記第２取得手段は、複数の前記撮像装置から、前記所定の検知をしたことを示す情報を取得し、
前記設定手段は、前記第２取得手段によって前記所定の検知をしたことを示す情報が取得された順番に基づいて、前記複数の撮像装置に対応する設定情報を設定することを特徴とする請求項１に記載の設定装置。
【請求項３】
さらに、前記撮像装置の前記設定情報に関する初期情報を取得する第３取得手段を有し、
前記設定手段は、前記第３取得手段によって取得された前記初期情報を、前記撮像装置に対応する設定情報に更新することを特徴とする請求項１又は請求項２に記載の設定装置。
【請求項４】
前記第２取得手段は、前記所定の検知をしたことを示す情報として、動体を検知したことを示す情報、物体の通過を検知したことを示す情報、物体の置き去りを検知したことを示す情報、物体の持ち去りを検知したことを示す情報、音声を検知したことを示す情報、イタズラを検知したことを示す情報のうち、少なくともいずれかの情報を取得することを特徴とする請求項１乃至請求項３のいずれか一項に記載の設定装置。
【請求項５】
前記第１取得手段は、第１設定情報と第２設定情報とを取得し、
前記設定手段は、
前記第２取得手段が第１の検知をしたことを示す情報を取得した場合に、前記撮像装置に対応する前記第１設定情報を設定し、
前記第２取得手段が、前記第１の検知とは異なる第２の検知をしたことを示す情報を取得した場合に、前記撮像装置に対応する前記第２設定情報を設定することを特徴とする請求項１乃至請求項４のいずれか一項に記載の設定装置。
【請求項６】
前記第１取得手段は、前記撮像装置の通信に関する識別情報と前記撮像装置の名称とを取得し、
前記設定手段は、
前記第２取得手段が動体を検知したことを示す情報を取得した場合に、前記撮像装置の通信に関する識別情報を設定し、
前記第２取得手段が、前記第１の検知とは異なる第２の検知をしたことを示す情報を取得した場合に、前記撮像装置の名称を設定することを特徴とする請求項５に記載の設定装置。
【請求項７】
さらに、前記設定手段によって設定された前記撮像装置に対応する設定情報を前記撮像装置に設定するための制御命令を、前記撮像装置に送信する送信手段を有することを特徴とする請求項１乃至請求項６のいずれか一項に記載の設定装置。
【請求項８】
撮像装置に設定する設定情報を取得する第１取得工程と、
前記撮像装置から所定の検知に関する情報を取得する第２取得工程と、
前記第２取得工程によって前記所定の検知をしたことを示す情報を取得した場合に、前記撮像装置に対応する設定情報を設定する設定工程と
を有すること特徴とする設定方法。
【請求項９】
コンピュータを、請求項１乃至請求項６のいずれか一項に記載の設定装置の各手段として機能させるためのプログラム。
【発明の詳細な説明】
【技術分野】
【０００１】
本発明は撮像装置の設置に関する情報を設定する設定装置に関する。
【背景技術】
【０００２】
従来、制御装置が、ネットワークを介して撮像装置を制御する撮像システムが知られている。このようなシステムにおいて、制御対象の撮像装置にＩＰアドレスなどの、撮像装置の設置に関する情報（設定情報）を設定する必要がある。ＩＰアドレスの設定方法として、ＤＨＣＰを用いるものが知られている（特許文献１）。
【先行技術文献】
【特許文献】
【０００３】
【特許文献１】特開２００３−２４９９４１号公報
【発明の概要】
【発明が解決しようとする課題】
【０００４】
上述の特許文献１では、ユーザがどの撮像装置にどのＩＰアドレスを設定させるかを制御できない。即ち、それぞれの撮像装置に対しＤＨＣＰに従って使用可能なＩＰアドレスが自動で付与されるため、ユーザが所望する撮像装置に所望するＩＰアドレスを設定させることができない。これを解消するためには撮像装置のＭＡＣアドレスやシリアル番号などの固有情報によって撮像装置を特定しつつ手動で設定しなければならず、その作業が煩雑となる。ＩＰアドレス以外の設定情報についても同様である。本発明は、撮像装置に対し、ユーザが所望する設定情報を容易に設定することを課題とする。
【課題を解決するための手段】
【０００５】
上記の課題を解決するための一手法として、本発明の設定装置は以下の構成を有する。即ち、撮像装置に設定する設定情報を取得する第１取得手段と、前記撮像装置から所定の検知に関する情報を取得する第２取得手段と、前記第２取得手段によって前記所定の検知をしたことを示す情報を取得した場合に、前記撮像装置に対応する設定情報を設定する設定手段とを有する。
【発明の効果】
【０００６】
本発明により、撮像装置に対し、ユーザが所望する設定情報を容易に設定することができる。
【図面の簡単な説明】
【０００７】
【図１】撮像システムの構成の一例を示す図
【図２】実施形態１における撮像装置及び設定装置の構成例を示すブロック図
【図３】実施形態１における設定装置の処理手順を示すフローチャート
【図４】実施形態２における設定装置の処理手順を示すフローチャート
【図５】撮像システムの構成の他の例を示す図
【図６】設定装置において記録される情報の一例を示す図
【図７】実施形態２における撮像装置及び設定装置の構成例を示すブロック図
【図８】設定装置に適用可能なコンピュータのハードウェアの構成例を示すブロック図
【発明を実施するための形態】
【０００８】
以下、添付の図面を参照して、本発明の実施形態の一例を詳細に説明する。尚、以下の実施形態において示す情報は一例に過ぎず、図示された構成に限定されるものではない。
【０００９】
（実施形態１）
本実施形態に係る撮像システムの構成について図１を用いて説明する。図１に示すように、本実施形態に係る撮像システムにおいて、Ｎ個の撮像装置（撮像装置１０１〜Ｎ）のそれぞれと設定装置２００とは、ネットワーク３００を介して相互に情報の授受ができるように接続されている。尚、本実施形態では、一例としてＮ個の撮像装置を含む撮像システムについて説明するが、撮像装置の数に限定されない。即ち、本実施形態における撮像システムは、１以上の撮像装置を含む構成であれば構わない。
【００１０】
撮像装置１０１は、撮像した画像を、ネットワーク３００を介して設定装置２００へ送信する。尚、本実施形態における撮像装置１０１は、画像を撮像（撮影）するカメラであり、例えば、監視に用いられる撮像装置である。また、本実施形態における撮像装置１０１は、壁面や天井に設置することができる。また、撮像装置１０１は、１以上の画像を含む動画像を撮像するカメラであっても構わない。また、本実施形態における撮像装置１０１は、例えば、ＰｏＥ（Ｐｏｗｅｒ  Ｏｖｅｒ  Ｅｔｈｅｒｎｅｔ（登録商標））に対応していてもよく、ＬＡＮ（Ｌｏｃａｌ  Ａｒｅａ  Ｎｅｔｗｏｒｋ）ケーブルを介して電力を供給されても構わない。尚、本実施形態における各撮像装置１０２〜Ｎは、撮像装置１０１と同様の機能を有するものであるため、説明を省略する。
【００１１】
設定装置２００は、情報処理装置により構成される。例えば、本実施形態における設定装置２００は、ＰＣ（Ｐｅｒｓｏｎａｌ  Ｃｏｍｐｕｔｅｒ）であってもよいし、タブレット端末、スマートフォン等の携帯用端末であっても構わない。
【００１２】
ネットワーク３００は、インターネットや有線のＬＡＮ、無線のＬＡＮ（Ｗｉｒｅｌｅｓｓ  ＬＡＮ）、ＷＡＮ（Ｗｉｄｅ  Ａｒｅａ  Ｎｅｔｗｏｒｋ）等のいずれかにより実現される。例えば、ネットワーク３００は、Ｅｔｈｅｒｎｅｔ（登録商標）等の通信規格を満足する複数のルータ、スイッチ、ケーブル等から構成されても構わない。尚、本実施形態においてネットワーク３００は、各撮像装置１０１〜Ｎと設定装置２００との間の通信を行うことができるものであればよく、通信の規格、規模、構成に限定されない。
【００１３】
次に、撮像装置１０１の構成について図２を用いて説明する。図２は、本実施形態に係る撮像装置１０１及び設定装置２００の構成の一例を示すブロック図である。図２に示すように、撮像装置１０１は、撮像光学系における前玉レンズ１２１、バリエータレンズ１２２、撮像素子１２３、信号処理部１３１、符号化部１３２を有する。さらに、撮像装置１０１は、バッファ１３３、通信部（Ｉ／Ｆ）１３４、端子１４１、動体検知部１３５、位置取得部１３６、ＣＰＵ１３７、ＥＥＰＲＯＭ１３８を有する。尚、本実施形態における通信部１３４は、Ｉ／Ｆ（インターフェース）である。また、本実施形態におけるＣＰＵ１３７は、図２に示す撮像装置１０１の各部における演算や論理判断等の処理を行う演算処理部である。また、本実施形態におけるＥＥＰＲＯＭ１３８は、電気的に消去可能な不揮発性メモリ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。
【００１４】
次に、撮像装置１０１において実行される処理の詳細について説明する。撮像装置１０１は、撮像する対象である被写体からの光線を、撮像光学系の前玉レンズ１２１及びバリエータレンズ１２２を介して、撮像素子１２３に入射する。撮像素子１２３は、例えば、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等である。そして、撮像素子１２３は入射された光線を光電変換することによって画像の信号を生成し、生成した画像の信号を信号処理部１３１へ出力する。次に、信号処理部１３１は、ＣＰＵ１３７の指示に基づいて、入力された画像の信号に対して、画像処理を施す。例えば、信号処理部１３１は、ノイズ除去、マトリクス変換、ブライト調整、コントラスト調整、ガンマ調整、クロマゲイン調整、シャープネス調整等のうち少なくとも何れかの画像処理方法を用いて、画像処理を行う。そして、信号処理部１３１は、画像処理を施した画像の信号を符号化部１３２へ出力する。尚、本実施形態における信号処理部１３１にて実行される、画像の信号に対して施す画像処理方法は、上記の画像処理方法に限定されない。また、本実施形態における撮像装置１０１は、撮像素子１２３で生成された画像の信号に対して画像処理を施さずに、符号化部１３２及び動体検知部１３５へ出力する構成であっても構わない。
【００１５】
符号化部１３２は、符号化方式に基づいて、入力された画像の信号を符号化することによって符号データを生成する。そして、撮像装置１０１は、符号化部１３２によって生成された符号データを、バッファ１３３、通信部１３４、及び端子１４１を介して撮像装置１０１の外部へ送信する。尚、符号化部１３２は、符号化方式として、例えば、ＪＰＥＧ（Ｊｏｉｎｔ  Ｐｈｏｔｏｇｒａｐｈｉｃ  Ｅｘｐｅｒｔｓ  Ｇｒｏｕｐ）を用いることができるが、これに限定されない。即ち、符号化部１３２は、ＰＮＧ（Ｐｏｒｔａｂｌｅ  Ｎｅｔｗｏｒｋ  Ｇｒａｐｈｉｃｓ）、ＧＩＦ（Ｇｒａｐｈｉｃｓ  Ｉｎｔｅｒｃｈａｎｇｅ  Ｆｏｒｍａｔ）、ＢＭＰ（Ｂｉｔ  Ｍａｐ  Ｉｍａｇｅ）等の画像ファイル形式を用いても構わない。また、符号化部１３２は、Ｈ．２６４／ＭＰＥＧ−４  ＡＶＣ（以下Ｈ．２６４）、ＨＥＶＣ（Ｈｉｇｈ  Ｅｆｆｉｃｉｅｎｃｙ  Ｖｉｄｅｏ  Ｃｏｄｉｎｇ符号化方式）を用いても構わない。
【００１６】
動体検知部１３５は、信号処理部１３１から出力された画像の信号に基づいて、画像内の動体（動く物体）を検知する。動体検知部１３５は、動体を検知した場合に、動体を検知したことを示す情報を、ＣＰＵ１３７、通信部１３４及び端子１４１を介して撮像装置１０１の外部へ出力する。位置取得部１３６は、動体検知部１３５の出力結果（動体を検知したことを示す情報）、及び、ＣＰＵ１３７からの指示に基づいて、画像内の物体の位置を取得する。位置取得部１３６は、物体の位置を取得した場合に、物体の位置を示す情報を、ＣＰＵ１３７、通信部１３４及び端子１４１を介して撮像装置１０１の外部へ出力する。
【００１７】
通信部１３４は、設定装置２００から撮像装置１０１に対する制御命令を受信する。尚、受信する制御命令としては、所定の検知（イベント検知）の設定、通信に関する設定の変更、撮像装置の名称の変更、撮像装置の撮像方向の変更等に関する制御命令がある。尚、通信に関する設定は、撮像装置が他の装置と通信を行う場合に用いる識別情報の設定を示す。例えば、通信に関する設定は、ＩＰアドレス（Ｉｎｔｅｒｎｅｔ  Ｐｒｏｔｏｃｏｌ  ａｄｄｒｅｓｓ）、サブネットマスク（Ｓｕｂｎｅｔ  Ｍａｓｋ）、デフォルトゲートウェイ（Ｄｅｆａｕｌｔ  Ｇａｔｅｗａｙ）等のネットワークの設定がある。ＥＥＰＲＯＭ１３８は、設定装置２００から受信した制御命令に基づいて変更した設定内容を保存する。本実施形態においてＥＥＰＲＯＭ１３８は、撮像装置１０１の固有番号であるＭＡＣアドレス（Ｍｅｄｉａ  Ａｃｃｅｓｓ  Ｃｏｎｔｒｏｌ  Ａｄｄｒｅｓｓ）、ネットワーク３００を介して通信を行うために用いられるＩＰアドレス等を保存する。
【００１８】
尚、本実施形態における撮像システムでは、撮像装置１０１内の動体検知部１３５及び位置取得部１３６が動体検知、及び物体の位置検出を行うが、これに限定されない。即ち、設定装置２００が動体検知部（不図示）及び位置取得部（不図示）を備え、撮像装置１０１から取得した画像に基づいて、動体検知及び物体の位置検出を行っても構わない。
【００１９】
また、図５に示すように、撮像装置１０１、設定装置２００とは別に、撮像システム内に検出装置５００を有し、検出装置５００内の動体検知部５０１及び位置取得部５０２が動体検知及び物体の位置検出を行う構成でも構わない。図５に示す撮像システムにおいて検出装置５００は、各撮像装置１０１〜Ｎから出力された画像の符号データを、ネットワーク３００、端子５０５、及びＩ／Ｆ５０３を介して取得する。そして、復号部５０６は、取得した画像の符号データを復号して、画像の信号を生成する。動体検知部５０１は、復号部５０６から出力された画像の信号に基づいて、動体の検知を行う。位置取得部５０２は、動体検知部５０１の出力結果、及びＣＰＵ５０４からの指示に基づいて、画像内の物体の位置を取得する。そして、検出装置５００は、動体を検知したことを示す情報、動体を検知した撮像装置を示す情報、及び物体の位置を示す情報を、設定装置２００へ送信する。また、記憶部５０７は、動体検知部５０１及び位置取得部５０２の出力情報、及びＣＰＵ５０４の指示に基づいて、動体を検知したことを示す情報、動体を検知した撮像装置を示す情報、及び物体の位置を示す情報を記憶する。
【００２０】
次に、設定装置２００の構成について図２を用いて説明する。図２に示すように、設定装置２００は、表示制御部２３０、表示部２３１、装置情報処理部２３２、設定情報処理部２３３、入力部２３４、ＣＰＵ２３５、通信部（Ｉ／Ｆ）２３６を有する。さらに、設定装置２００は、命令出力部２３７、ＥＥＰＲＯＭ２３８、検知順処理部２３９、及び端子２４１を有する。尚、本実施形態における通信部２３６は、Ｉ／Ｆ（インターフェース）である。また、本実施形態におけるＣＰＵ２３５は、図２に示す設定装置２００の各部における演算や論理判断等の処理を行う演算処理部である。また、本実施形態におけるＥＥＰＲＯＭ２３８は、電気的に消去可能な不揮発性メモリ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。
【００２１】
次に、設定装置２００において実行される処理の詳細について説明する。入力部２３４は、マウス操作、キーボード操作、タッチ操作等のユーザによる操作に基づく指示を入力する。また、本実施形態における入力部２３４は、設定を行う撮像装置を指定する指示、通信接続に関する使用可能な識別情報、撮像装置の使用可能な名称等を入力することができる。また、入力部２３４は、各撮像装置１０１〜Ｎの撮像方向を変更する指示を入力することもできる。例えば、入力部２３４が撮像装置１０１の撮像方向を変更する指示を入力した場合に、ＣＰＵ２３５は当該指示を示す情報を命令出力部２３７へ出力する。そして、命令出力部２３７は、当該指示を示す情報に基づいて、撮像装置１０１の撮像方向を変更するための制御命令を生成し、ＣＰＵ２３５、通信部２３６、及び端子２４１を介して撮像装置１０１へ当該制御命令を出力する。このような動作によって、撮像装置１０１は、取得した制御命令に基づいて、撮像方向を変更することができる。
【００２２】
表示制御部２３０は、各撮像装置１０１〜Ｎから画像の符号データを取得し、取得した符号データに対応する画像を表示部２３１に表示するよう制御する。また、表示制御部２３０は、ネットワーク３００を介して接続されている各撮像装置１０１〜Ｎに対応する情報を表示部２３１に表示するよう制御する。ここで、本実施形態において各撮像装置１０１〜Ｎに対応する情報は、撮像装置を示す情報、及び撮像装置に割り当てられたＩＰアドレスとする。ＩＰアドレスは、撮像装置の通信に関する識別情報であって、撮像装置が他の装置と通信を行うために用いられる識別情報である。尚、撮像装置に対応する情報はこれに限定されず、撮像装置の名称、撮像装置に対応するＭＡＣアドレス、撮像装置に対応するサブネットマスク、デフォルトゲートウェイ等の設定情報であっても構わない。即ち、本実施形態において各撮像装置１０１〜Ｎに対応する情報として、各撮像装置１０１〜Ｎが有する情報を用いればよい。尚、本実施形態における設定装置２００は表示部２３１を有する構成であるが、これに限定されない。例えば、設定装置２００の外部の表示部（不図示）を表示制御部２３０が制御する構成であっても構わない。また、装置情報処理部２３２は、上述した各撮像装置１０１〜Ｎに対応する情報を保存する。
【００２３】
設定情報処理部２３３は、ユーザの操作によって入力部２３４に入力された指示に基づいて、各撮像装置１０１〜Ｎの設置に関する情報（以下、設定情報）を保存する。ここで、本実施形態では、設定情報を、ＩＰアドレス（撮像装置の通信に関する識別情報）とする。しかしながら、設定情報はこれに限定されず、撮像装置の名称、撮像装置に対応するサブネットマスク、デフォルトゲートウェイ等の設定情報でも構わない。ここで、撮像装置の名称とは、例えば「カメラ１」、「カメラ２」等のように撮像装置を識別するための名称であってもよいし、「天井」、「壁」等のように撮像装置の設置位置を示す名称であってもよい。また、ユーザの操作によって入力部２３４に入力された指示を用いる方法に限定されない。例えば、設定装置２００が撮像装置を一意に特定する情報（シリアルナンバー等の固有番号等）と設定情報とをそれぞれ記載したファイルを設定装置２００の外部から取得して、設定情報処理部２３３は当該ファイルを保存しても構わない。
【００２４】
検知順処理部２３９は、所定の検知（イベント検知）をした撮像装置の順番に関する情報を記録する。例えば、所定の検知（イベント検知）を動体検知及び／又は物体の位置検出とした場合、検知順処理部２３９は、各撮像装置１０１〜Ｎから、動体を検知したことを示す情報及び／又は物体の位置を示す情報を取得する。そして、検知順処理部２３９は、取得したこれらの情報に対応する撮像装置の順番を保持する。設定装置２００は、検知順処理部２３９に保持された撮像装置の順番に関する情報に基づいて、各撮像装置１０１〜Ｎの設定情報を決定する。そして、設定装置２００は、設定を行う順番に基づいて装置情報処理部２３２に保持された各撮像装置１０１〜Ｎに対応する情報を設定（更新）し、各撮像装置１０１〜１０４に対して設定情報を設定するための制御命令を送信する。
【００２５】
次に、本実施形態の設定装置２００が、イベントを検知した順序に基づいて撮像装置に対応する設定情報を設定する場合に実行される処理の手順について図３を用いて説明する。尚、本実施形態では、設定情報としてＩＰアドレス（プライベートアドレス）を設定する方法について説明するが、設定情報はこれに限定されない。また、本実施形態では、設定情報を設定する対象とする撮像装置を、撮像システム内の各撮像装置１０４〜Ｎのうち、各撮像装置１０１〜１０４とする場合について説明するが、これに限定されない。即ち、設定装置２００は、撮像システム内の一部又は全部の撮像装置に設定情報を設定する構成であれば構わない。
【００２６】
ステップＳ３０１において設定装置２００は、設定情報を設定（更新）する対象とする撮像装置を決定する。本実施形態における入力部２３４は、ユーザの操作による指示に基づいて設定情報（ＩＰアドレス）を設定する対象の撮像装置を示す情報を入力し、装置情報処理部２３２は当該対象の撮像装置を示す情報を記録する。さらに、装置情報処理部２３２は、対象の撮像装置に対応する情報（例えば、ＩＰアドレスの初期情報、ＭＡＣアドレス等）を取得しても構わない。本実施形態では、設定情報を設定する対象の撮像装置は各撮像装置１０１〜１０４であるため、装置情報処理部２３２は、例えば、図６（ａ）に示すような情報を記録する。尚、装置情報処理部２３２は、対象の撮像装置に対応するＩＰアドレスの初期情報として、例えば、１９２．１６８．１００．１を一律に取得しても構わない。また、装置情報処理部２３２は、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）に基づいて設定された情報を取得しても構わない。また、装置情報処理部２３２は、ＡｕｔｏＩＰ（Ａｕｔｏｍａｔｉｃ  Ｐｒｉｖａｔｅ  ＩＰ  Ａｄｄｒｅｓｓｉｎｇ：ＡＰＩＰＡ）に基づいて設定された情報を取得しても構わない。また、本実施形態では、ＩＰアドレスの初期情報（一律な値、使用不可能なＩＰアドレス等でも構わない）を取得し、後段の処理では取得したＩＰアドレスの初期情報に代えて、決定したＩＰアドレスに更新するが、これに限定されない。即ち、ＩＰアドレスの初期情報が設定されていない場合には、後段の処理でＩＰアドレスの設定を行うようにしても構わない。
【００２７】
次に、ステップＳ３０２において設定装置２００は、撮像装置に設定する設定情報（ＩＰアドレス）を決定する。本実施形態における入力部２３４はユーザによる操作に基づいて使用可能なＩＰアドレスを示す情報を入力し、設定情報処理部２３３は当該使用可能なＩＰアドレスを記録する。本実施形態では、使用可能なＩＰアドレスとして、１９２．１６８．１００．１、１９２．１６８．１００．２、１９２．１６８．１００．３、１９２．１６８．１００．４を用いるものとする。従って設定情報処理部２３３は、図６（ｂ）に示すような情報を自身の記憶装置に記録しておく。尚、使用可能なＩＰアドレスは、図６（ｂ）に示す情報に限定されない。使用可能なＩＰアドレスは予めネットワーク３００において未使用であるもののうち所望するものを特定し、設定情報処理部２３３内に記憶しておく。尚、本実施形態における設定装置２００は、設定情報を設定する対象の撮像装置に対応する情報（図６（ａ）に示すような情報）と、撮像装置に設定する設定情報（図６（ｂ）に示す様な情報）とを別々に保存する。
【００２８】
ステップＳ３０３において設定装置２００は、ステップＳ３０２において決定した設定情報を、ステップＳ３０１において決定した対象の撮像装置に設定するのに用いるイベント検知の方法を決定する。本実施形態における入力部２３４はユーザによる操作に基づいて設定情報の設定に用いるイベント検知の方法を示す情報を入力する。本実施形態における設定装置２００は、イベント検知の方法を、動体検知とする。尚、本実施形態では、イベント検知の方法として動体検知を用いるが、これに限定されない。例えば、イベント検知の方法として、通過検知、置き去り検知、持ち去り検知、音声検知（音声認識）、イタズラ検知等を用いても構わない。
【００２９】
ステップＳ３０４において設定装置２００は、ステップＳ３０３で決定した設定方法に基づいて、イベント検知の制御命令を、ステップＳ３０１で決定した対象の撮像装置へ送信する。即ち、本実施形態における命令出力部２３７は、各撮像装置１０１〜１０４に対して動体検知の制御命令を生成し、ＣＰＵ２３５、通信部２３６、及び端子２４１を介して当該制御命令を各撮像装置１０１〜１０４へ出力する。尚、一般的な撮像システムは、撮像装置にイベント検知を実行させる場合に、ユーザの操作による指示に基づいて、イベント検知を実行させる撮像装置の選択、撮像可能な範囲内のイベント検知を実行する範囲の設定等を行う必要がある。これに対し、本実施形態における設定装置２００は、ステップ３０１において決定された対象の撮像装置である各撮像装置１０１〜１０４全てに対してイベント検知を自動的に設定する。そして、設定装置２００は、ステップＳ３０４においてイベント検知の制御命令が送信され、各撮像装置１０１〜１０４によるイベント検知の設定が完了した後、ステップＳ３０５の処理へ進む。
【００３０】
ステップＳ３０５において設定装置２００は、設定情報を設定する対象の撮像装置であって設定情報を設定（更新）していない撮像装置のうち、イベントを検知した撮像装置が有るかどうかを判定する。例えば、撮像装置１０１の動体検知部１３５によって動体が検知された場合に、設定装置２００は、動体が検知されたことを示す情報を撮像装置１０１から取得する。ステップＳ３０５においてイベントを検知した撮像装置が有る場合（ステップＳ３０５におけるＹＥＳ）にステップＳ３０６へ進み、イベントを検知した撮像装置が無い場合（ステップＳ３０５におけるＮＯ）にステップＳ３０９へ進む。
【００３１】
ステップＳ３０６において設定装置２００は、ステップＳ３０５においてイベントを検知したと判定された撮像装置が、ステップＳ３０１において決定された対象の撮像装置であるか否かを判定する。設定装置２００は、ステップＳ３０５においてイベントを検知したと判定された撮像装置のＭＡＣアドレスと、ステップＳ３０１において装置情報処理部２３２に保持された対象の撮像装置に対応するＭＡＣアドレスとを用いて判定しても構わない。尚、ＭＡＣアドレスを用いて判定する方法に限定されず、図６（ａ）に示すような撮像装置を示す情報を用いてもよく、各撮像装置１０１〜１０４に対応する固有の情報（番号）を用いて判定する方法であれば構わない。ステップＳ３０６においてイベントを検知した撮像装置が設定情報を設定する対象の撮像装置である場合（ステップＳ３０６におけるＹＥＳ）にステップＳ３０７へ進む。一方、イベントを検知した撮像装置が対象の撮像装置でない場合（ステップＳ３０６におけるＮＯ）にステップＳ３０９へ進む。
【００３２】
ステップＳ３０７において設定装置２００は、ステップＳ３０５においてイベントを検知したと判定された撮像装置を示す情報を記録する。例えば、撮像装置１０１からイベントを検知したことを示す情報を取得した場合に、検知順処理部２３９は撮像装置１０１に対応する固有の情報を保存する。ここで、本実施形態における検知順処理部２３９は、イベントを検知したことを示す情報に対応する時間情報を、イベントを検知した撮像装置に対応する固有の情報と一緒に記載する。尚、本実施形態においてイベントを検知したことを示す情報に対応する時間情報は、設定装置２００がイベントを検知したことを示す情報を取得した時刻（時間）を示す時間情報であるがこれに限定されない。例えば、検知順処理部２３９は、撮像装置によってイベントを検知した時刻（時間）を示す時間情報を、イベントを検知した撮像装置から取得し、前記イベントを検知したことを示す情報に対応する時間情報として保存しても構わない。そして、検知順処理部２３９は、撮像装置１０１以外の撮像装置についても、イベントを検知したことを示す情報を取得した場合に、当該イベントを検知した撮像装置に対応する固有の情報を順番に記録する。
【００３３】
ステップＳ３０８において設定装置２００は、イベントを検知した順番に基づいて設定情報を決定し、決定した設定情報を撮像装置に設定（更新）するよう制御する。即ち、本実施形態における装置情報処理部２３２は、設定した設定情報を、撮像装置に対応する情報として更新する。そして、本実施形態における装置情報処理部２３２は、設定情報を、撮像装置を示す情報（撮像装置の固有な情報）と関連付ける。例えば、設定装置２００は、ステップＳ３０１で決定した対象の撮像装置のうち、撮像装置１０１が最初にイベントを検知した場合に、次の処理を行う。この場合、設定装置２００は、撮像装置１０１に対応するＩＰアドレスとして、ステップＳ３０２で決定した使用可能なＩＰアドレスのうち末尾の数値が最も小さい１９２．１６８．１００．１を設定する。そして、装置情報処理部２３２は、図６（ｃ）に示すように、撮像装置１０１に対応するＩＰアドレスを、図６（ａ）に示す初期情報に代えて１９２．１６８．１００．１に更新する。さらに、設定装置２００は、ＩＰアドレスとして１９２．１６８．１００．１を撮像装置１０１に設定するための制御命令を、撮像装置１０１へ送信する。当該制御命令によって、撮像装置１０１は自装置のＩＰアドレスを設定することができる。尚、本実施形態では、ステップＳ３０１において対象の撮像装置のＩＰアドレスの初期情報を取得しているため、ステップＳ３０８では初期情報に代えて、イベント検知した順番に基づいて決定された情報をＩＰアドレスとして更新する。しかしながら、ステップＳ３０１において対象の撮像装置のＩＰアドレスの初期情報を取得しなかった場合には、ステップＳ３０８においてイベント検知した順番に基づいて決定された情報をＩＰアドレスとして設定する。
【００３４】
次に、ステップＳ３０９において設定装置２００は、ステップＳ３０１で決定された対象の撮像装置のうち、設定情報を設定（更新）されていない撮像装置が有るか否かを判定する。ステップＳ３０９において設定情報を設定されていない対象の撮像装置が有る場合（ステップＳ３０９におけるＹＥＳ）には、設定装置２００はステップＳ３０５の処理へ戻る。そして、設定装置２００は、対象の撮像装置の全てに設定情報を設定するまで、ステップＳ３０５〜３０９の処理を繰り返す。一方、ステップＳ３０９において設定情報を設定されていない撮像装置が無い場合（ステップＳ３０９におけるＮＯ）には、設定装置２００は設定情報の設定処理を終了する。ここでは、撮像装置１０２、撮像装置１０３、及び撮像装置１０４に対応する設定情報が設定（更新）されていないため、ステップＳ３０５の処理へ戻る。そして、設定装置２００は、撮像装置１０２、撮像装置１０３、及び撮像装置１０４に対応する設定情報を、以下のように設定する。例えば、設定装置２００は、撮像装置１０２、撮像装置１０４、撮像装置１０３の順番で動体が検知されたことを示す情報を取得した場合について説明する。この場合、設定装置２００は、２番目にイベントを検知した撮像装置１０２に対応するＩＰアドレスとして、末尾の数値が２番目に小さい１９２．１６８．１００．２を設定する。そして、設定装置２００は、３番目にイベントを検知した撮像装置１０４に対応するＩＰアドレスとして、末尾の数値が３番目に小さい１９２．１６８．１００．３を設定する。さらに、設定装置２００は、４番目にイベントを検知した撮像装置１０３に対応するＩＰアドレスとして、１９２．１６８．１００．４を設定する。そして、装置情報処理部２３２は、図６（ｃ）に示すように、各撮像装置１０２〜１０４に対応するＩＰアドレスを保持（更新）する。また、設定装置２００は、各撮像装置１０２〜１０４にＩＰアドレスを設定するための制御命令を、各撮像装置１０２〜１０４へ送信する。図６（ｃ）に示すようにイベントを検知した順に撮像装置がリストアップされ、それらに割り当てられたＩＰアドレスが表示される。従ってユーザはどの撮像装置にどのＩＰアドレスが割り当てられたかを容易に認識可能となる。
【００３５】
尚、設定装置２００は、設定情報の設定処理を終了した後に、対象の撮像装置に設定したイベント検知（本実施形態では、動体検知）を解除する制御命令を、各対象の撮像装置へ送信しても構わない。
【００３６】
上述したように、本実施形態における設定装置は、撮像装置の設定情報を容易に設定することができる。特に、本実施形態における設定装置は、イベントを検知した順番に基づいて、撮像装置の通信に関する識別情報（ＩＰアドレス）を容易に設定することができる。以上の処理は、各撮像装置を実際の設置場所に設置させる前に並べて置いて行ってもよいし、実際の設置場所に設置してから行ってもよい。各撮像装置を実際の設置場所に設置する前に並べておく場合、ユーザがＩＰアドレスの設定を行いたい撮像装置のみ電源をＯＮにする、又はイベント検知機能をＯＮにしておく。そのようにすることによって、設定装置は、精度良く特定の撮像装置に対し所望のＩＰアドレスを設定する（割り当てる）ことが可能となる。そして、ＩＰアドレスの設定が完了した撮像装置の電源またはイベント検知機能をＯＦＦにし、次に設定したい撮像装置の電源またはイベント検知機能をＯＮにして、順次所望の撮像装置に対し所望のＩＰアドレスを設定可能となる。
【００３７】
尚、本実施形態では、イベント検知の方法として動体検知を用いたが、これに限定されない。即ち、イベント検知としては、所定のイベント検知のうち少なくとも一つの検知に基づく方法を用いることができる。そして、イベント検知としては、動体検知、通過検知、置き去り検知、持ち去り検知、音声検知（音声認識）、イタズラ検知等がある。動体検知、持ち去り検知、及び置き去り検知は、所定時間経過する間の物体の位置を検出する必要があるが、動体検知は、持ち去り検知及び置き去り検知よりも、検知に要する時間が短い。このことから、上述したイベント検知のうち、動体検知を用いて設定情報を設定することによって、他のイベント検知を用いる場合よりも、設定情報の設定処理を開始してから終了するまでの時間を短くできる。
【００３８】
また、図１における矢印１０５に示すように、ユーザが各撮像装置１０１〜１０４の撮像範囲内で順番にジェスチャー（動作）を行い、各撮像装置１０１〜１０４がユーザによる動作を検知し、設定装置２００が動作の検知結果を取得するようにしても構わない。このような構成にすることによって、ユーザが設定したい順番で設定情報を設定することができる。尚、図１において点線で示す範囲は、各撮像装置１０１〜１０４が撮像可能な撮像範囲を示す。図１においては、撮像装置１０１、撮像装置１０２、撮像装置１０３、撮像装置１０４の順番に、ユーザによるジェスチャーを検知するため、上記の順番に設定情報を設定することができる。尚、ジェスチャーの種類には限定されない。尚、本実施形態において、ＩＰアドレス未設定（初期状態）の撮像装置は最大までズームインさせて撮像範囲を狭くしておくようにしてもよい。このようにすれば各撮像装置が動体検知をした順序の特定が容易となる。即ち、各撮像装置が動体検知できる範囲が絞られるので、各撮像装置が動体検知を開始する時間が異なりやすくなるため、動体検知の順序の特定が容易となる。また、動体検知を行った順序を特定するために、各撮像装置が撮像した画像を取得し、これらの解析によってユーザがジェスチャーを開始した位置に近い方に置かれた撮像装置から順にＩＰアドレスを設定させることができる。
【００３９】
また、設定情報の設定処理における各ステップの順序は、図３に示す順序に限定されない。例えば、ステップ３０６の処理の次に、ステップＳ３０９の処理を行い、ステップＳ３０９の処理の次にステップＳ３０７の処理を行っても構わない。即ち、設定装置２００は、ステップＳ３０１〜３０６及びステップＳ３０９において、設定情報を設定する全ての対象の撮像装置がイベント検知をしたことを取得した後、ステップＳ３０７においてイベント検知した順番を取得及び記録する。そして、設定装置２００は、ステップＳ３０８においてステップＳ３０７で取得したイベント検知した順番に基づいて、各撮像装置１０１〜１０４に対応する設定情報を設定するようにしても構わない。
【００４０】
また、以上の処理を行った後、図６（ｄ）に示すような各撮像装置の名称をユーザによって入力させるようにしてもよい。
【００４１】
（実施形態２）
上述の実施形態１における設定装置２００は、１つのイベント検知（動体検知）を用いて、設定情報を設定する構成としていた。本実施形態における設定装置２００は、複数のイベント検知を用いて、設定情報を設定する構成とする。尚、本実施形態では、２つのイベント検知を用いた例を説明するが、３つ以上のイベント検知を用いても構わない。
【００４２】
図７は、本実施形態に係る撮像装置１０１及び設定装置２００の構成の一例を示すブロック図である。尚、本実施形態の図７において、実施形態１の図２の各部と同じ機能を有する部は同じ符号を付与し、その説明を省略する。本実施形態における撮像装置１０１は、音声検知部３１９を備えている点で、実施形態１の図２に示す撮像装置１０１と異なる。音声検知部３１９は、撮像装置１０１の内部又は外部の音声入力部（不図示）によって入力された音声を検知する。そして、音声検知部３１９は、音声を検知した場合に、音声を検知したことを示す情報を、ＣＰＵ１３７、通信部１３４、及び端子１４１を介して撮像装置１０１の外部へ出力する。
【００４３】
次に、本実施形態の設定装置２００が、複数のイベントを用いて撮像装置に対応する設定情報を設定する場合に実行される処理の手順について図４を用いて説明する。尚、前述した実施形態１では、各撮像装置１０１〜１０４に対応する情報として、撮像装置の名称を用いても構わないとしたが、本実施形態では、設定情報として撮像装置の名称を用いる。また、本実施形態では、設定情報としてＩＰアドレスと撮像装置の名称とを設定する方法について説明するが、設定情報はこれらに限定されない。また、本実施形態では、設定情報を設定する対象の撮像装置を、撮像システム内の各撮像装置１０４〜Ｎのうち、各撮像装置１０１〜１０４とする場合について説明するが、これに限定されない。即ち、設定装置２００は、撮像システム内の一部又は全部の撮像装置に設定情報を設定する構成であれば構わない。
【００４４】
ステップＳ４０１において設定装置２００は、図３のステップＳ３０１と同様に、設定情報を設定する対象とする撮像装置を決定する。即ち、本実施形態における装置情報処理部２３２は、例えば図６（ａ）に示すように、対象の撮像装置として各撮像装置１０１〜１０４を示す情報を記録する。
【００４５】
ステップＳ４０２において設定装置２００は、対象の撮像装置に設定する設定情報（ＩＰアドレス及び撮像装置の名称）を決定する。本実施形態における入力部２３４は、ユーザによる操作に基づいて使用可能なＩＰアドレス及び撮像装置の名称を示す情報を入力する。そして、設定情報処理部２３３は、例えば図６（ｂ）及び図６（ｄ）に示すように、ＩＰアドレス及び撮像装置の名称を記録する。尚、ＩＰアドレス及び撮像装置の名称は、図６（ｂ）及び図６（ｄ）に示す情報に限定されない。撮像装置の名称は、例えば、撮像範囲、撮像位置、撮像装置の設置位置などに基づく名称であっても構わない。
【００４６】
ステップＳ４０３において設定装置２００は、ステップＳ４０２において決定した設定情報を、ステップＳ４０１において決定した対象の撮像装置に設定するのに用いるイベント検知の方法を決定する。本実施形態における設定装置２００は、イベント検知の方法として動体検知と音声検知とを用いる。尚、本実施形態は、イベント検知の方法に限定されない。
【００４７】
ステップＳ４０４において設定装置２００は、ステップＳ４０３で決定した設定方法に基づいて、イベント検知の制御命令を、ステップＳ４０１で決定した対象の撮像装置へ送信する。即ち、本実施形態における命令出力部２３７は、各撮像装置１０１〜１０４に対して動体検知の制御命令及び音声検知の制御命令を生成し、これらの制御命令をＣＰＵ２３５、通信部２３６、及び端子２４１を介して各撮像装置１０１〜１０４へ出力する。また、ステップＳ４０４において設定装置２００は、ステップＳ４０２で決定した設定情報の設定に用いるイベント検知の方法を、ステップＳ４０３で決定したイベント検知の方法から選択する。即ち、設定装置２００は、設定情報（本実施形態ではＩＰアドレスと撮像装置の名称）の設定に用いるイベント検知の方法を、ステップＳ４０３で決定した２つのイベント検知の方法（本実施形態では動体検知と音声検知）からそれぞれ選択する。例えば、本実施形態における設定装置２００は、ＩＰアドレスの設定のために動体検知を用い、撮像装置の名称の設定のために音声検知を用いることを決定する。このように、本実施形態における設定装置２００は、イベント検知の方法ごとに撮像装置に設定する設定情報の種類を選択する。
【００４８】
ステップＳ４０５において設定装置２００は、図３のステップＳ３０５の処理と同様に、設定情報を設定（更新）していない撮像装置のうち、イベントを検知した撮像装置が有るかどうかを判定する。また、ステップＳ３０６において設定装置２００は、図３のステップＳ３０６の処理と同様に、ステップＳ４０５においてイベントを検知したと判定された撮像装置が、ステップＳ４０１において決定された対象の撮像装置であるか否かを判定する。
【００４９】
ステップＳ４０７において設定装置２００は、ステップＳ４０５においてイベントを検知したと判定された撮像装置を示す情報を記録する。即ち、本実施形態における検知順処理部２３９は、イベントを検知したことを示す情報に対応する時間情報を、イベントを検知した撮像装置に対応する固有の情報と一緒に記載する。尚、本実施形態においてイベントを検知したことを示す情報に対応する時間情報は、設定装置２００がイベントを検知したことを示す情報を取得した時刻（時間）を示す時間情報であるがこれに限定されない。例えば、検知順処理部２３９は、撮像装置によってイベントを検知した時刻（時間）を示す時間情報を、イベントを検知した撮像装置から取得し、前記イベントを検知したことを示す情報に対応する時間情報として保存しても構わない。また、実施形態１では１つのイベント検知を用いて設定情報を設定したが、本実施形態では複数のイベント検知を用いて設定情報を設定する。よって、設定装置２００は、イベント検知の方法（検知するイベントの種類）毎に、イベント検知した撮像装置の順番を記録するようにしても構わない。また、設定装置２００は、イベント検知の方法に依らず、少なくとも１つのイベントを検知した撮像装置の順番を記録するようにしても構わない。また、本実施形態では動体検知と音声検知をイベント検知として用いて、イベントを検知した撮像装置の順番に基づいて設定情報を設定したが、これに限定されない。例えば、音声検知をイベント検知として用いる場合に、音声を検知した撮像装置のうち、検知した音声の音量が大きい撮像装置の順番に基づいて設定装置を設定しても構わない。
【００５０】
ステップＳ４０８において設定装置２００は、イベントを検知したことを示す情報が、動体を検知したことを示す情報であるか否かを判定する。ステップＳ４０８において動体を検知したことを示す情報を取得したと判定した場合（ステップＳ４０８におけるＹＥＳ）に、設定装置２００はステップＳ４０９の処理へ進む。一方、ステップＳ４０８において動体を検知したことを示す情報を取得していないと判定した場合（ステップＳ４０８におけるＮＯ）に、設定装置２００はステップＳ４１４の処理へ進む。
【００５１】
ステップＳ４０９において設定装置２００は、イベントを検知したことを示す情報が、音声を検知したことを示す情報であるか否かを判定する。ステップＳ４０９において音声を検知したことを示す情報を取得したと判定した場合（ステップＳ４０９におけるＹＥＳ）に、設定装置２００はステップＳ４１０の処理へ進む。一方、ステップＳ４０９において音声を検知したことを示す情報を取得していないと判定した場合（ステップＳ４０９におけるＮＯ）に、設定装置２００はステップＳ４１１の処理へ進む。
【００５２】
ステップＳ４１０及びステップＳ４１１において設定装置２００は、イベントを検知した順番に基づいて、設定情報を設定（更新）する。そして、本実施形態における装置情報処理部２３２は、設定した設定情報を、撮像装置に対応する情報として更新する。即ち、ステップＳ４１０において設定装置２００は、音声を検知（認識）した順番に基づいて、撮像装置の名称を設定する。そして、装置情報処理部２３２は、設定した撮像装置の名称を、撮像装置に対応する情報として更新する。尚、設定装置２００は、設定した撮像装置の名称を示す情報を、音声を検知した撮像装置へ送信しても構わない。また、ステップＳ４１１において設定装置２００は、動体を検知した順番に基づいて、ＩＰアドレスを設定する。そして、装置情報処理部２３２は、設定したＩＰアドレスを、撮像装置に対応する情報として更新する。さらに、ステップＳ４１１において設定装置２００は、設定したＩＰアドレスを、動体を検知した撮像装置に設定するための制御命令を、当該動体を検知した撮像装置へ出力する。
【００５３】
ステップＳ４１２において設定装置２００は、図３のステップＳ３０９と同様に、ステップＳ４０１で決定された対象の撮像装置のうち、設定情報を設定（更新）されていない撮像装置が有るか否かを判定する。ステップＳ４１２において設定情報を設定されていない対象の撮像装置が有る場合（ステップＳ４１２におけるＹＥＳ）には、設定装置２００はステップＳ４０５の処理へ戻る。そして、設定装置２００は、対象の撮像装置の全てに設定情報を設定するまで、上述の処理を繰り返す。一方、ステップＳ４１２において設定情報を設定されていない撮像装置が無い場合（ステップＳ４１２におけるＮＯ）には、設定装置２００は設定情報の設定処理を終了する。尚、本実施形態のステップＳ４１２において設定装置２００は、ステップＳ４０２において決定した設定情報の全てを設定された撮像装置を、設定情報を設定された撮像装置として上述の判定を行う。例えば、ＩＰアドレスは更新されたが撮像装置の名称は更新されていない（即ち動体を検知したが、音声を検知していない）撮像装置を、設定情報を設定されていない撮像装置として処理する。しかしながら、これに限定されず、ステップＳ４０２において決定した設定情報のうち少なくともいずれかを設定された撮像装置を、設定情報を設定された撮像装置として処理しても構わない。また、ステップＳ４０２において決定した設定情報のうち、特定の設定情報（例えば、ＩＰアドレス）を設定された撮像装置を、設定情報を設定された撮像装置として処理しても構わない。
【００５４】
尚、設定装置２００は、設定情報の設定処理を終了した後に、対象の撮像装置に設定したイベント検知（本実施形態では、動体検知及び／又は音声検知）を解除する制御命令を、各対象の撮像装置へ送信しても構わない。
【００５５】
上述したように、本実施形態における設定装置は、撮像装置の設定情報を容易に設定することができる。特に、本実施形態における設定装置は、イベントを検知した順番に基づいて、複数の設定情報を設定することができる。また、本実施形態における設定装置は、撮像装置の通信に関する識別情報（ＩＰアドレス）、及び撮像装置の名称を容易に設定することができる。即ち、近くに設置された撮像装置同士で異なるイベントの検知結果に従って設定情報を設定させることによって同じイベントの検知結果に基づき設定する場合よりも誤設定の発生を低減させつつ所望の設定情報を設定させることが可能となる。
【００５６】
（実施形態３）
図２、図５、及び図７に示した設定装置の各処理部は、ハードウェアでもって構成しているものとして上記実施形態では説明した。しかし、これらの図に示した各処理部で行なう処理をコンピュータプログラムでもって構成しても良い。以下、図８を用いて本実施形態について説明する。図８は、上記各実施形態に係る設定装置に適用可能なコンピュータのハードウェアの構成例を示すブロック図である。
【００５７】
ＣＰＵ８０１は、ＲＡＭ８０２やＲＯＭ８０３に格納されているコンピュータプログラムやデータを用いてコンピュータ全体の制御を行うと共に、上記各実施形態に係る設定装置が行うものとして上述した各処理を実行する。即ち、ＣＰＵ８０１は、図２、図５、及び図７に示した各処理部として機能することになる。
【００５８】
ＲＡＭ８０２は、外部記憶装置８０６からロードされたコンピュータプログラムやデータ、Ｉ／Ｆ（インターフェース）８０７を介して外部から取得したデータなどを一時的に記憶するためのエリアを有する。更に、ＲＡＭ８０２は、ＣＰＵ８０１が各種の処理を実行する際に用いるワークエリアを有する。即ち、ＲＡＭ８０２は、例えば、画像メモリ（ピクチャメモリ）として割り当てたり、その他の各種のエリアを適宜提供したりすることができる。
【００５９】
ＲＯＭ８０３には、本コンピュータの設定データや、ブートプログラムなどが格納されている。操作部８０４は、キーボードやマウスなどにより構成されており、本コンピュータのユーザが操作することで、各種の指示をＣＰＵ８０１に対して入力することができる。出力部８０５は、ＣＰＵ８０１による処理結果を出力する。また出力部８０５は例えば液晶ディスプレイで構成され、ＣＰＵ８０１による処理結果を表示する。
【００６０】
外部記憶装置８０６は、ハードディスクドライブ装置に代表される、大容量情報記憶装置である。外部記憶装置８０６には、ＯＳ（オペレーティングシステム）や、図８に示した各部の機能をＣＰＵ８０１に実現させるためのコンピュータプログラムが保存されている。更には、外部記憶装置８０６には、処理対象としての各画像データが保存されていても良い。
【００６１】
外部記憶装置８０６に保存されているコンピュータプログラムやデータは、ＣＰＵ８０１による制御に従って適宜、ＲＡＭ８０２にロードされ、ＣＰＵ８０１による処理対象となる。Ｉ／Ｆ８０７には、ＬＡＮやインターネット等のネットワーク、投影装置や表示装置などの他の機器を接続することができ、本コンピュータはこのＩ／Ｆ８０７を介して様々な情報を取得したり、送出したりすることができる。８０８は上述の各部を繋ぐバスである。
【００６２】
上述の構成からなる作動は前述のフローチャートで説明した作動をＣＰＵ８０１が中心となってその制御を行う。
【００６３】
以上の種々の実施形態によれば、撮像装置が監視のための機能として有しているイベント検知機能を用いて容易に設定情報を設定することができる。
【００６４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６５】
２３０  表示制御部
２３１  表示部
２３２  装置情報処理部
２３３  設定情報処理部
２３４  入力部
２３５  ＣＰＵ
２３６  通信部（Ｉ／Ｆ）
２３７  命令出力部
２３８  ＥＥＰＲＯＭ
２３９  検知順処理部
【図１】
2017022619.tif 000003
【図２】
2017022619.tif 000004
【図３】
2017022619.tif 000005
【図４】
2017022619.tif 000006
【図５】
2017022619.tif 000007
【図６】
2017022619.tif 000008
【図７】
2017022619.tif 000009
【図８】
2017022619.tif 000010